(57)【要約】      （修正有）【課題】仕切板の無い棚板にも適用することができ、構造が簡易で使い勝手の良い物品前出し装置を提供する。【解決手段】棚板Ｂの上面に配置して物品Ａを載置するベース２と、ベース２に対して前後方向に移動可能な押し具３と、ベース２に対して前後方向に移動自在な引き具４とを備え、押し具３が、配列した物品Ａの最後面に対向する背板部９を有し、引き具４が、引き出し操作するための操作部１３と、押し具３の背板部９の後面に対向する押圧部とを有し、ベース２と押し具３との間に、押し具３の前方向の移動を許容し且つ後方向の移動を抑制する移動抑制機構であるラック部６及び係止部を設けた物品前出し装置１としたことで、仕切板の無い棚板にも適用可能にした。【選択図】図１
2016187480.tif 000002
【特許請求の範囲】
【請求項１】
棚板上に配列した物品を前方向に移動させる装置であって、
棚板の上面に配置して物品を載置するベースと、
ベースに対して前後方向に移動可能な押し具と、
ベースに対して前後方向に移動自在な引き具とを備え、
押し具が、配列した物品の最後面に対向する背板部を有し、
引き具が、引き出し操作するための操作部と、押し具の背板部の後面に対向する押圧部とを有し、
ベースと押し具との間に、押し具の前方向の移動を許容し且つ後方向の移動を抑制する移動抑制機構を設けたことを特徴とする物品前出し装置。
【請求項２】
棚板上に配列した物品を前方向に移動させる装置であって、
棚板の上面に配置して物品を載置するベースと、
ベースに対して前後方向に移動可能な押し具と、
ベースに対して前後方向に移動自在な引き具とを備え、
押し具が、配列した物品の最後面に対向する背板部を有し、
引き具が、引き出し操作するための操作部と、押し具の背板部の後面に対向する押圧部とを有すると共に、操作部及び押圧部と、ベースの両側面に沿う一対の連接部とを一体化した枠構造を有していることを特徴とする物品前出し装置。
【発明の詳細な説明】
【技術分野】
【０００１】
本発明は、棚板上に配列した物品を前方向に移動させる装置であって、例えば、商店において、棚板上に陳列した商品を前出しする際に用いられる物品前出し装置に関するものである。
【背景技術】
【０００２】
従来の物品前出し装置としては、簡易商品繰り出し具の名称で特許文献１に記載されているものがある。特許文献１に記載の簡易商品繰り出し具は、陳列台の仕切板に貼着された案内板と、案内板のガイドレールに係合して陳列台の前後方向に移動自在な商品繰り出し片と、案内板の別のガイドレールに係合して陳列台の前後方向に移動自在な把片とを備えている。把片は、前端部に、案内板の前端部に衝合する操作片が設けてあると共に、後端部に、商品繰り出し片の後面に衝合する衝合片が設けてある。
【０００３】
上記の簡易商品繰り出し具は、陳列台において、前後方向に一列に配置した複数の商品の最後部を商品繰り出し片で受けた状態にする。そして、簡易商品繰り出し具は、商品の数が減少した際、操作片を掴んで把片手前に引くことにより、把片の衝合片を商品繰り出し片の後面に衝合させて、商品繰り出し片とともに商品を前方向に移動させる。その後、簡易商品繰り出し具は、操作片が案内板の前端部に衝合する位置まで把片を押し戻すものとなっている。
【先行技術文献】
【特許文献】
【０００４】
【特許文献１】実開平４−１２５７６１号公報
【発明の概要】
【発明が解決しようとする課題】
【０００５】
しかしながら、上記したような従来の物品前出し装置は、案内板を仕切板に貼着する構成であるから、仕切板を備えた棚板にしか適用できないという問題点があり、このような問題点を解決することが課題であった。
【０００６】
本発明は、上記従来の課題に着目して成されたものであって、仕切板の無い棚板にも適用することができ、構造が簡易で使い勝手の良い物品前出し装置を提供することを目的としている。
【課題を解決するための手段】
【０００７】
本発明に係わる物品前出し装置は、棚板上に配列した物品を前方向に移動させる装置であって、棚板の上面に配置して物品を載置するベースと、ベースに対して前後方向に移動可能な押し具と、ベースに対して前後方向に移動自在な引き具とを備え、押し具が、配列した物品の最後面に対向する背板部を有し、引き具が、引き出し操作するための操作部と、押し具の背板部の後面に対向する押圧部とを有し、ベースと押し具との間に、押し具の前方向の移動を許容し且つ後方向の移動を抑制する移動抑制機構を設けたことを特徴としている。
【０００８】
また、本発明に係わる物品前出し装置は、棚板上に配列した物品を前方向に移動させる装置であって、棚板の上面に配置して物品を載置するベースと、ベースに対して前後方向に移動可能な押し具と、ベースに対して前後方向に移動自在な引き具とを備え、押し具が、配列した物品の最後面に対向する背板部を有し、引き具が、引き出し操作するための操作部と、押し具の背板部の後面に対向する押圧部とを有すると共に、操作部及び押圧部と、ベースの両側面に沿う一対の連接部とを一体化した枠構造を有していることを特徴としている。
【発明の効果】
【０００９】
本発明に係わる物品前出し装置は、棚板上に配置してベースに複数の物品を載置し、引き具の操作により押し具とともに物品を前方向に移動させることとなり、仕切板の無い棚板にも適用することができる。また、物品前出し装置は、ベース、押し具及び引き具を組み合わせた簡単な構造であると共に、押し具の移動抑制機構により、物品の重量で押し具が後退したり、前出しした物品を不用意に押し戻したりするような事態を防止することができ、構造が簡易で使い勝手が良好である。
【００１０】
また、本発明に係わる物品前出し装置は、ベース、押し具及び引き具を組み合わせた簡単な構造であり、とくに、枠構造である引き具を採用したことから、簡単な構造であるうえに、ベースに載置した物品と干渉することなく確実な前出し操作が可能であり、構造が簡易で使い勝手が良好である。
【図面の簡単な説明】
【００１１】
【図１】本発明に係わる物品前出し装置の第１実施形態を説明する斜視図である。
【図２】図１に示す物品前出し装置の平面図（Ａ）、側面図（Ｂ）、及び正面図（Ｃ）である。
【図３】図２に示す物品前出し装置の分解斜視図である。
【図４】ベースを説明する平面図（Ａ）、側面図（Ｂ）、及び正面図（Ｃ）である。
【図５】押し具を説明する平面図（Ａ）、正面図（Ｂ）、側面図（Ｃ）、及び背面図（Ｄ）である。
【図６】引き具を説明する平面図（Ａ）、側面図（Ｂ）、及び正面図（Ｃ）である。
【図７】物品を載置した状態を示す斜視図（Ａ）、及び物品の前出しを行う状態を示す斜視図（Ｂ）である。
【図８】本発明に係わる物品前出し装置の第２実施形態を説明する要部の平面図（Ａ）、図Ａ中のＡ−Ａ線に基づく断面図（Ｂ）、及び物品前出し装置の第３実施形態を説明する要部の側面図（Ｃ）である。
【図９】本発明に係わる物品前出し装置の第４実施形態において、物品を載置した状態を示す斜視図（Ａ）、及び物品の前出しを行う状態を示す斜視図（Ｂ）である。
【発明を実施するための形態】
【００１２】
以下、図面に基づいて、本発明に係わる物品前出し装置の第１実施形態を説明する。
図１〜図３に示す物品前出し装置１は、棚Ｓにおいて、棚板Ｂ上に配列した物品Ａを前方向に移動させる装置である。この物品前出し装置１は、棚板Ｂの上面に配置して物品Ａを載置するベース２と、ベース２に対して前後方向に移動可能な押し具３と、同じくベース２に対して前後方向に移動自在な引き具４とを備えている。なお、各実施形態では、棚板Ｂの奥行き方向において、正面側を前側（前方向）とし、背面側を後側（後方向）として説明する。
【００１３】
図１に示す棚Ｓは、一例としてスチール製であり、一対の支柱Ｐ，Ｐと、両支柱Ｐ，Ｐの上下の端部同士を夫々連結する横桟Ｆ，Ｆと、両支柱Ｐ，Ｐの下端部に連結した脚部材Ｌ，Ｌを備えると共に、両支柱Ｐ，Ｐ間の任意の高さに二枚の棚板Ｂ，Ｂを固定した構造である。この実施形態の棚Ｓは、商店において商品（物品Ａ）の陳列棚として用いられるものであって、棚板Ｂの正面に価格札Ｃが取り付けてあり、価格札Ｃの後側に物品前出し装置１を配置する。なお、価格札Ｃは、ベース２の正面に取り付けることも可能である。
【００１４】
ベース２は、図４にも示すように、棚板Ｂの奥行き寸法に相当する長辺を有する長方形状の板部材であって、例えばプラスチック製であり、中央部に、前後方向（図４中で左右方向）に沿った一定幅のガイド穴５を有している。ガイド穴５は、後端部に、幅を拡大した連通穴５Ａを有している。また、ベース２は、ガイド穴５の両側において、後端部から前端部側の所定位置に至る間に、ガイド穴５と平行なラック部６，６を有している。さらに、ベース２の底面において、前端部の両側と後端部の中央とには、マグネット７が夫々設けてある。
【００１５】
両ラック部６は、押し具３との間で後記する移動抑制機構を構成するものであって、複数の係合部６Ａを一列に配置した構造である。係合部６Ａは、ベース２の側面から見て断面直角三角形状を成しており、斜辺を上側にして、短片をベース２の前方側にした向きになっている。このとき、係合部６Ａは、斜辺と短辺との交点をベース２の上面に合わせて、斜辺側を凹状にすることにより、ベース２の上面を平坦にし、ベース２に載置した物品Ａが円滑に移動できるようにしてある。
【００１６】
押し具３は、図５にも示すように、ベース２の上面に重なる基板部８と、配列した物品Ａの最後面に対向する背板部９とを一体的に有するもので、例えばプラスチック製である。押し具３は、基板部８の底面に、前端部の中央に配置した前方ガイド部１０と、後端部の中央に配置した後方ガイド部１１と、後方ガイド部１１の両側に配置した係止部１２，１２とを有している。また、背板部９は、とくに限定されるものではないが、配列した物品Ａの最後面に対応した所定の大きさを有しており、適当な傾斜や開口部を設けても良いし、形状を変更することも可能である。
【００１７】
基板部８において、前方ガイド部１０は、ベース２のガイド穴５を貫通する突起部１０Ａと、突起部１０Ａの先端部（下端部）からベース２の左右方向に突出する抜け止め部１０Ｂ，１０Ｂとを有している。他方、後方ガイド部１１は、ベース２のガイド穴５を貫通する突起状を成している。両係止部１２は、先述のラック部６とともに移動抑制機構を構成するものであって、ラック部６の係合部６Ａに対応した断面直角三角形状の突起であり、斜辺を下側にして、短辺を押し具３の後方側にした向きである。
【００１８】
上記の押し具３は、ベース２におけるガイド穴５の連通穴５Ａに、前方ガイド部１０を挿通し、その後、ベース２の前方に移動させる。これにより、押し具３は、ベース２の底面に対して、前方ガイド部１０の抜け止め部１０Ｂ，１０Ｂが前後方向に移動可能に係合すると共に、後方ガイド部１１がガイド穴５に摺動自在に係合する。
【００１９】
このとき、押し具３は、ベース２におけるラック部６のいずれかの係合部６Ａに係止部１２が係合し、双方の短辺同士の当接により後方向の移動が阻止され、また、双方の斜面同士が当接しているので、係止部１２が係合部６Ａを乗り越えるようにして前方向の移動が可能である。この押し具３は、基板部８の後端部を持ち上げてベース２の係合部６Ａから係止部１２を外すことで、後方向に移動させることができ、この際には、前方ガイド部１０がベース２の底面に係合しているので、ベース２から外れることはない。
【００２０】
このようにして、押し具３は、ベース２に対して前後方向に移動可能なものとなっており、ベース２との間に、ラック部６と係止部１２とから成る移動抑制機構、すなわち当該押し具３の前方向の移動を許容し且つ後方向の移動を抑制する移動抑制機構を備えている。なお、ベース２は、底面の周囲全体に枠状の突条を有して、底面全体が扁平な凹状になっており、押し具３の前方及び後方のガイド部１０，１１やマグネット７が厚さ内に収容されるように（底面から突出しないように）なっている。
【００２１】
引き具４は、図６にも示すように、平面視においてベース２の大きさに相当するものであって、引き出し操作するための操作部１３と、押し具３の背板部９の後面に対向する押圧部１４とを有している。この実施形態の引き具４は、前後の操作部１３及び押圧部１４と、ベース２の両側面に沿う左右一対の連接部１５，１５とを一体化した枠構造を有している。
【００２２】
この引き具４は、その材料が限定されるものではないが、金属棒若しくは樹脂コーティングをした金属棒を無端状に曲成して製造することができ、プラスチック製であっても良い。この際、引き具４は、両連接部１５，１５の前端部近傍が下方向に屈曲して、操作部１３がベース２よりも下側に偏位しており、また、両連接部１５，１５の後端部近傍が左右両側方向及び上方向に屈曲して、押圧部１４を上方向に立ち上げた形態を成している。これにより、押圧部１４は、押し具３の背板部９の後面に対向する。
【００２３】
上記の引き具４は、ベース２に対して前後方向に移動自在である。なお、図示は省略したが、ベース２の両側部全長に溝を形成し、この溝の長手方向にわたって両連接部１５を摺動自在に係合させて、引き具４をベース２の前後方向に案内するようにしてもよい。
【００２４】
上記構成を備えた物品前出し装置１は、図１及び図７（Ａ）に示すように、棚板Ｂ上に配置され、この際、棚板Ｂがスチール製である場合には、ベース２の底面に設けたマグネット７により簡単に固定することができ、棚板Ｂから取り外すことも勿論容易である。すなわち、ベース２は、棚板Ｂ上の幅方向において、物品Ａの大きさ等に応じて自由に位置決めすることができる。
【００２５】
物品前出し装置１は、押し具３をベース２の後端部に位置させると共に、引き具４の操作部１３をベース２の前端部（棚板Ｂの前端部）に位置させて、ベース２に複数の物品Ａを一列に載置する。このとき、最後部分の物品Ａは、押し具３の基板部８上に載置され、その後面は背板部９により支持されている。また、物品前出し装置１は、引き具４の操作部１３が価格札Ｃの下側に位置しており、操作部１３が価格札Ｃを遮ることがない。
【００２６】
次に、物品前出し装置１は、物品Ａの数が減少した際には、図７（Ｂ）に示すように、操作部１３を掴んで引き具４を手前に引き出す。これにより、物品前出し装置１は、引き具４の押圧部１４が押し具３の背板部９に当接し、この背板部を前方向に押すことで、押し具３とともに物品Ａを前方向に移動させる。この際、ベース２と押し具３との間に設けた移動抑制機構では、押し具３の係止部１２がラック部６の係合部６Ａを乗り越えて、押し具３の前方向の移動を許容する。
【００２７】
また、物品前出し装置１は、最前部の物品Ａがベース２の前端部近傍に達したところで引き具４の操作を止め、引き具４を初期の位置まで押し戻す。このとき、移動抑制機構では、押し具３の係止部１２がラック部６のいずれかの係合部６Ａと係合し、押し具３の後方向の移動を抑制する。
【００２８】
このように、物品前出し装置１は、引き具４の操作だけで、物品Ａの前出し作業が終了することとなり、この実施形態では物品Ａが商品であるから、商品が取り易くなると共に、商品のアピール性も維持される。なお、物品Ａが全て無くなった場合には、先述したように押し具３の後端側を上げて係合部６Ａから係止部１２を外すことで、その押し具３をベース２の後方側に移動させることができる。
【００２９】
上記の物品前出し装置１は、棚板Ｂ上に配置してベース２に複数の物品Ａを載置し、引き具４の操作により押し具３とともに物品Ａを前方向に移動させるので、仕切板の無い棚板Ｂにも適用することができる。
【００３０】
また、物品前出し装置は、ベース２、押し具３及び引き具４を組み合わせた簡単な構造であると共に、押し具３の移動抑制機構（ラック部６及び係止部１２）により、物品Ａの重量で押し具３が後退したり、前出しした物品Ａを不用意に押し戻したりするような事態を防止することができ、構造が簡易で使い勝手が良好である。
【００３１】
さらに、物品前出し装置１は、枠構造である引き具４を採用したことから、簡単な構造であるうえに、ベース２に載置した物品Ａと干渉することなく確実な前出し操作が可能であり、このような点においても、構造が簡易で使い勝手が良好である。
【００３２】
そしてさらに、この実施形態の物品前出し装置１は、操作部１３がベース２よりも下側に偏位しているので、物品Ａが商品である場合に、操作部１３がベース正面側に設けた価格札Ｃの邪魔にならないという利点がある。また、操作部１３は、棚板Ｂの厚さ範囲内で下側に偏位させた構成にすれば、目立ち難くすることができ、下側の収容空間の邪魔にならないという利点もある。
【００３３】
図８及び図９は、本願発明に係わる物品前出し装置の第２〜第４の各実施形態を説明する図である。なお、以下の各実施形態において、第１実施形態と同一の構成部位は、同一符号を付して詳細な説明を省略する。
【００３４】
図８（Ａ）及び（Ｂ）に要部を示す第２実施形態では、押し具３の基板部８において、係止部１２の両側部及び後端部（図中で右端部）に沿って連続するスリット１６が設けてある。この押し具３は、ベース２上で前方向に移動する際に、係止部１２が前端部を支点にして上下に弾性変形しながらラック部６の係合部６Ａを乗り越える。
【００３５】
これにより、物品前出し装置は、係止部１２とラック部６とにより、押し具の前方向の移動を許容し且つ後方向の移動を抑制する移動抑制機構を構成し、前方向に移動する押し具３が上下に振動するのを軽減することができると共に、押し具３の後方向への移動を抑制する。このような構成は、押し具３がプラスチック等の材料で形成してある場合に特に有効である。
【００３６】
図８（Ｃ）に要部を示す第３実施形態では、押し具３の係止部として、板ばね１７を採用している。板ばね１７は、押し具３の後方向に下り勾配を成し、ねじ１８や接着剤により基板部９の底面に固定してある。この押し具３は、ベース２上で前方向に移動する際に、板ばね１７が上下に弾性変形しながらラック部６の係合部６Ａを乗り越える。
【００３７】
これにより、物品前出し装置では、係止部としての板ばね１７とラック部６とにより、押し具３の前方向の移動を許容し且つ後方向の移動を抑制する移動抑制機構を構成し、前方向に移動する押し具３が上下に振動するのを軽減若しくは解消することができると共に、押し具３の後方向への移動を抑制する。
【００３８】
図９（Ａ）及び（Ｂ）に示す第４実施形態では、第１実施形態に対して、引き具４の構成が相違している。すなわち、図示の引き具４は、前後の操作部１３及び押圧部１４と、左右一対の連接部１５，１５とを一体化した枠構造を有すると共に、両連接部１５，１５の前端部近傍が上方向に屈曲して、操作部１３がベース２よりも上側に偏位している。
【００３９】
上記の引き具４を備えた物品前出し装置１は、第１実施形態と同様に、仕切板の無い棚板Ｂにも適用可能であって、構造が簡易で使い勝手が良好であり、しかも、引き具４の操作部１３がベース２よりも上側に偏位しているので、物品Ａが商品である場合に、操作部１３がベース正面側に設けた価格札Ｃの邪魔にならないという利点がある。
【００４０】
また、上記の物品前出し装置１は、引き具４の操作部１３が立ち上がり状態になっているので、物品Ａが前方に倒れた場合、操作部１３がストッパとして働き、物品Ａの落下を防止することが可能である。さらに、この実施形態の引き具４は、操作部１３及び押圧部１４がいずれも立ち上がり状態であるから、双方を同じ構成にして、前後の区別を無くした部品にすることもできる。
【００４１】
本発明に係わる物品前出し装置は、その構成が上記各実施形態に限定されるものではなく、本発明の要旨を逸脱しない範囲において、各部材の材料及び形状や、各部位の相対的な大きさ及び数などの構成を適宜変更することが可能である。上記各実施形態では、商店において商品を取り扱う場合を例示したが、それ以外の物品の保管場所で用いることも可能であり、仕切板の有無に関係なく各種の棚板に適用することができる。
【００４２】
物品前出し装置は、例えば、ベースの底面に、マグネットに代えて、粘着性を有するエラストマー製シートを設けることができ、このような構成によっても、ベースを簡易に位置決めすることが可能である。また、移動抑制機構としては、ベースにおけるガイド穴の両側部の少なくとも一方にラック部を形成すると共に、押し具における基板部の底面側に、そのラック部に対応する係止部を設けることができ、このような構成にすれば、ベースの上面全体を平坦にし得る。さらに、引き具は、第１及び第４の実施形態で説明したように、操作部を上側及び下側のいずれか一方側に偏位させることにより、夫々の効果を発揮するのであるが、操作部が偏位していない構成であっても構わない。
【符号の説明】
【００４３】
Ａ  物品
Ｂ  棚板
１  物品前出し装置
２  ベース
３  押し具
４  引き具
６  ラック部（移動抑制機構）
６Ａ  係合部（移動抑制機構）
９  背板部
１２  係止部（移動抑制機構）
１３  操作部
１４  押圧部
１５  連接部
１７  板ばね（係止部）
【図１】
2016187480.tif 000003
【図２】
2016187480.tif 000004
【図３】
2016187480.tif 000005
【図４】
2016187480.tif 000006
【図５】
2016187480.tif 000007
【図６】
2016187480.tif 000008
【図７】
2016187480.tif 000009
【図８】
2016187480.tif 000010
【図９】
2016187480.tif 000011